(57)【特許請求の範囲】
【請求項１】
変形によって制震効果を発揮する制震梁と、その制震梁に隣接して設けられ且つ制震梁
の材軸方向と同一方向をスパン方向とした一方向床スラブとを有し、制震梁と一方向床ス
ラブが構造スリットにより縁切りされ、更に、一方向床スラブのスパン方向両端が、制震
梁の両端を支持する建物の躯体と構造スリットにより縁切りされると共に、建物の躯体に
取り付けた床支持材又は建物の躯体に形成した段差部に載置することにより、建物の躯体
にピン接合されていることを特徴とする制震架構構造。
【請求項２】
縁切り用の構造スリットにロックウールが充填されていることを特徴とする請求項１に
記載の制震架構構造。
【発明の詳細な説明】
【技術分野】
【０００１】
本発明は、例えば、せん断降伏型の制震梁のような変形によって制震効果を発揮する制
震梁が採用された制震架構構造に関する。
【背景技術】
【０００２】
せん断降伏型の制震梁が採用された制震架構構造においては、図１１に示すように、地
震時に制震梁ａが降伏して変形すると、これに取り付く床スラブｂも制震梁ａの変形に伴
って変形するので、制震梁ａの降伏後に発生する変形角に追随できないと、床スラブｂが
破損することになり、地震後、床スラブｂの補修が必要となる。
【０００３】
このような不都合を回避する手法の一つとして、制震梁とそれに隣接する床スラブの間
に構造スリットを設けて、制震梁と床スラブを縁切りし、制震梁と床スラブの地震時挙動
を分離する制震架構構造が、特許文献１、２によって提案されている。
【０００４】
特許文献１に記載の制震架構構造は、一対の大梁と一対の制震梁とに囲まれる領域の床
スラブを、制震梁との間に設けた第１のスリットで縁切りすると共に、床スラブを、制震
梁の長さ方向中央部で、第１のスリットと直交する第２のスリットで縁切りし、これらの
スリットをエキスパンションジョイントとしての弾性充填材で埋め、第１のスリットと第
２のスリットで縁切りされた床スラブを両側の大梁に設けた跳ね出し小梁で支持するよう
に構成したものである。
【０００５】
ところで、制震梁の変形に伴う床スラブの変形は、制震梁の近辺で最も大きく、制震梁
から遠ざかるにつれて漸次減少する。従って、制震梁からある程度離れた位置では、制震
梁の変形による大きな影響を受けず、床スラブの破損には至らない。
【０００６】
然るに、上記の従来例では、相対向する第１のスリット間にそれらと直交する第２のス
リットを設けて、一対の大梁と一対の制震梁とに囲まれる領域の床スラブを第２のスリッ
トで二つの片持ち状の床スラブに分離してしまうため、分離した片持ち状の床スラブを支
持するためには、両側の大梁から第２のスリットに向けて跳ね出した小梁を設けることが
必要となり、施工が面倒でコストも増大することになる。
【０００７】
尚、特許文献２には、制震梁とそれに隣接する床スラブの間に構造スリットを設けて、
制震梁と床スラブを縁切りし、制震梁と床スラブの地震時挙動を分離する制震架構構造が
記載されているが、縁切りした床スラブをどのように支持するか開示されていない。
【０００８】
【特許文献１】特開平１０−３１１１１５号公報
【特許文献２】特開２００３−９００９８号公報
【発明の開示】
【発明が解決しようとする課題】
【０００９】
本発明は、上記の点に留意して成されたものであって、制震梁の変形に起因する床スラ
ブの破損を防止できて、地震後の補修を回避し得る床スラブを容易かつ低コストで施工で
きるようにすることを目的とする。
【課題を解決するための手段】
【００１０】
上記の目的を達成するために本発明が講じた技術的手段は、次の通りである。即ち、請
求項１に記載の発明による制震架構構造は、変形によって制震効果を発揮する制震梁と、
その制震梁に隣接して設けられ且つ制震梁の材軸方向と同一方向をスパン方向とした一方
向床スラブとを有し、制震梁と一方向床スラブが構造スリットにより縁切りされ、更に、
一方向床スラブのスパン方向両端が、制震梁の両端を支持する建物の躯体と構造スリット
により縁切りされると共に、建物の躯体に取り付けた床支持材又は建物の躯体に形成した
段差部に載置することにより、建物の躯体にピン接合されていることを特徴としている。
【００１１】
【００１２】
請求項２に記載の発明は、請求項１に記載の制震架構構造であって、縁切り用の構造ス
リットにロックウールが充填されていることを特徴としている。
【発明の効果】
【００１３】
請求項１に記載の発明によれば、変形により地震エネルギーを吸収する制震梁とそれに
隣接する床スラブを構造スリットによって縁切りし、制震梁と床スラブの地震時挙動を分
離するので、地震時の制震梁の変形に起因する床スラブの破損を防止できる。
【００１４】
殊に、制震梁に隣接して設けられる床スラブを、制震梁の材軸方向と同一方向（制震梁
の長手方向）をスパン方向とした一方向床スラブとしたので、制震梁と縁切りされた床ス
ラブが両端支持の状態となり、片持ち状の床スラブを支持する場合のような跳ね出し小梁
を設ける必要がないので、床スラブを容易かつ低コストで施工できる。
【００１５】
更に、請求項１に記載の発明によれば、上記の効果に加え、一方向床スラブのスパン方
向両端が建物の躯体にピン接合されているので、スラブには地震時に端部応力が発生せず
、端部応力による一方向床スラブの破損を防止できるという効果がある。
【００１６】
請求項２に記載の発明によれば、上記の効果に加え、縁切り用の構造スリットにロック
ウールが充填されているので、防火区画としての床性能を確保できるという効果がある。
【発明を実施するための最良の形態】
【００１７】
以下、本発明の実施形態を図面に基づいて説明する。図１、図２は、本発明の制震架構
構造が採用された、鉄筋コンクリート造（以下、ＲＣ造）を主体とする制震構造建物を示
す。この制震構造建物は、建物外周架構を、基礎や地下階等の下部構造物Ａに対して剛接
合された柱１と、柱１に剛接合された梁２とから成るＲＣ造を主体とした剛接柱梁架構Ｂ
とし、四周のＲＣ造を主体とした剛接柱梁架構Ｂにおける一部の梁を短スパン梁にすると
共に、これらの短スパン梁を、変形によって制震効果を発揮するせん断降伏型の制震梁２
ａとし、建物内部には、建物外周の相対向するＲＣ造を主体とした剛接柱梁架構Ｂ，Ｂ間
に長大スパンのプレストレストコンクリート梁３を架設して無柱空間を形成したものであ
る。尚、「ＲＣ造を主体とした」とは、建築構造物の構造種別は主として鉄筋コンクリー
ト造とし、必要に応じて、適宜一部を鉄骨造、鉄骨鉄筋コンクリート造とする場合がある
ことを包含する意味である。
【００１８】
前記プレストレストコンクリート梁３は、図２に示すように、建物中央部に２列に配置
されており、２列のプレストレストコンクリート梁３は、相対向する制震梁２ａの両端を
支持する柱１ａ，１ａ間に架設されている。
【００１９】
ＲＣ造を主体とした剛接柱梁架構Ｂのうち、柱１と短スパン部分以外の梁２はＲＣ造で
あるが、短スパン梁（制震梁２ａ）が架設される柱１ａは、ＳＲＣ造（鉄骨鉄筋コンクリ
ート造）とされている。また、この実施形態においては、せん断降伏型の制震梁２ａとし
て、図６に示すように、Ｓ造（鉄骨造）とし、梁部材中央部のウエブに低降伏点鋼を用い
たせん断降伏型履歴ダンパーが採用されている。４ａは柱１と短スパン部分以外の梁２に
囲まれた大きな開口、４ｂは柱１ａと短スパンの制震梁２ａに囲まれた小さな開口であり
、何れも採光可能なガラスを主体とする外装材（図示せず）で閉塞されている。
【００２０】
このように、建物外周架構をＲＣ造を主体とした剛接柱梁架構Ｂとし、ＲＣ造を主体と
した剛接柱梁架構Ｂにおける一部の梁を地震時にせん断力が集中し易い短スパン梁とし、
その短スパン梁をせん断降伏型の制震梁２ａとする一方、建物内部には、プレストレスト
コンクリート梁３の採用により無柱空間を形成して、ＲＣ造を主体とした剛接柱梁架構Ｂ
の剛性を弱め、制震梁２ａの変形を助長するように構成することによって、地震エネルギ
ーの吸収能力を高めることができる。
【００２１】
また、建物外周架構をＲＣ造を主体とした剛接柱梁架構Ｂとすることによって、建物外
周面に柱１と梁２で囲まれた大きな開口４ａを確保でき、建物内部に十分な光を採り込め
るため、建物中央部に採光用の大規模な吹抜空間を形成する必要がなく、建物内部の空間
を有効に利用できる。
【００２２】
この実施形態は、上記のＲＣ造を主体とする制震構造建物における制震梁２ａ周辺の床
スラブに下記の制震架構構造を適用したものである。
【００２３】
この制震架構構造は、図３〜図８に示すように、制震梁２ａの側面に隣接して設けられ
る床スラブを、制震梁２ａの材軸方向と同一方向（制震梁長手方向）をスパン方向（スラ
ブ支持方向）としたＳ造（鉄骨造）の一方向床スラブ５ａとし、この一方向床スラブ５ａ
のスパン方向両端を建物の躯体に対してピン接合とし、制震梁２ａと一方向床スラブ５ａ
を構造スリット６により縁切りし、構造スリット６にロックウール７を充填した点に特徴
がある。図４〜図６における矢印Ｐは制震梁２ａの材軸方向、図４、図５、図７における
矢印Ｑは一方向床スラブ５ａのスパン方向（スラブ支持方向）を示す。
【００２４】
具体的には、図５、図７に示すように、制震梁２ａの両端を支持する柱１ａの相対向す
る側面とそれに連なる梁２やプレストレストコンクリート梁３の相対向する側面に、制震
梁２ａと直交する方向のアングル材等から成る床支持材８ａ，８ｂを取り付け、これらの
床支持材８ａ，８ｂに一方向床スラブ５ａのスパン方向両端を載置することにより、建物
の躯体（例えば、柱１ａ、梁２、プレストレストコンクリート梁３等である。）に対して
一方向床スラブ５ａのスパン方向両端をピン接合としてある。
【００２５】
前記一方向床スラブ５ａは、図５、図７、図８に示すように、周囲四辺に立上り板部９
を有し、上面に複数本のスパン方向の補強用アングル材１０を固着した矩形状の鋼板１１
によって構成されている。鋼板１１の上面には耐火床としての性能を持たせるために仕上
げコンクリート１２が打設されており、仕上げコンクリート１２にはひび割れ防止用の鉄
筋１３が埋設されている。図示を省くが、鋼板１１の下面には耐火被覆が施されている。
仕上げコンクリート１２は、一方向床スラブ５ａに隣接する床スラブ（一方向床スラブ５
以外の床スラブ）５ｂの上面と同一レベルに打設されている。制震梁２ａの上フランジの
上面にも、耐火床としての性能を持たせるために仕上げコンクリート１４が一方向床スラ
ブ５ａの仕上げコンクリート１２上面と同一レベルに打設されている。
【００２６】
一方向床スラブ５ａにおける制震梁２ａに沿った立上り板部９と、制震梁２ａの上フラ
ンジ側縁及び仕上げコンクリート１４との間には、縁切り用の構造スリット６が形成され
ている。そして、構造スリット６にはロックウール７を充填し、防火区画としての床性能
を確保してある。
【００２７】
尚、図示の実施形態においては、図７に示すように、一方向床スラブ５ａにおけるスパ
ン方向両端の立上り板部９と建物の躯体との間や、図８に示すように、一方向床スラブ５
ａにおける制震梁２ａとは反対側の立上り板部９と床スラブ５ｂとの間にも、構造スリッ
ト６が形成され、構造スリット６にロックウール７が充填されているが、これらの構造ス
リット６を省略して実施することも可能である。但し、この場合、一方向床スラブ５ａの
仕上げコンクリート１２を床スラブ５ｂのコンクリートと一体にならないように打設する
ことが必要である。また、床スラブ５ｂ、一方向床スラブ５ａの仕上げコンクリート１２
、制震梁２ａの仕上げコンクリート１４等の上には、図６、図７、図８に仮想線で示すよ
うに、床仕上げ材１５が設けられている。床仕上げ材１５としては、例えば、ＯＡフロア
（二重床）とカーペットが用いられる。
【００２８】
上記の構成によれば、制震梁２ａの変形に起因する床スラブの破損を防止できて、地震
後の補修を回避し得る床スラブを容易かつ低コストで施工できる。即ち、せん断降伏型の
制震梁２ａとその側面に隣接する床スラブを構造スリット６によって縁切りし、制震梁２
ａと床スラブの地震時挙動を分離するので、地震時の制震梁２ａの変形に起因する床スラ
ブの破損を防止できる。
【００２９】
しかも、制震梁２ａの側面に隣接して設けられる床スラブを、制震梁２ａと同一方向を
スパン方向とした一方向床スラブ５ａとしたので、制震梁２ａと縁切りされた床スラブ（
一方向床スラブ５ａ）が両端支持の状態となり、片持ち状の床スラブを支持する場合のよ
うな跳ね出し小梁を設ける必要がないので、制震梁２ａに隣接して設けられる床スラブを
容易かつ低コストで施工できることになる。
【００３０】
また、一方向床スラブ５ａのスパン方向両端が建物の躯体にピン接合されているので、
スラブには地震時に端部応力が発生せず、端部応力による一方向床スラブ５ａの破損を防
止できる。
【００３１】
図９、図１０は、本発明の他の実施形態を示し、一方向床スラブ５ａのスパン方向両端
を建物の躯体に形成した段差部１６ａ，１６ｂに載置して、ピン接合とした点に特徴があ
る。図示の一方向床スラブ５ａは、コンクリートの現場打ちによるＲＣ造であるが、プレ
キャストコンクリート製でもよく、先の実施形態と同じＳ造の一方向床スラブであっても
よい。その他の構成、作用は、先の実施形態と同じであるため、同一構成部材に同一符号
を付し、説明を省略する。
【００３２】
尚、本発明における一方向床スラブ５ａは、上記の両実施形態を通して明らかな通り、
Ｓ造、ＲＣ造の何れでもよく、図示しないが、ＳＲＣ造（鉄骨鉄筋コンクリート造）であ
ってもよい。また、本発明における一方向床スラブ５ａは、デッキプレート、エンボス加
工を施したデッキプレート、鉄板の上に鉄筋トラスを溶接した鉄筋トラス付きデッキ等と
、その上に現場打ちした、若しくは、工場で打設したコンクリートとから成る合成スラブ
であってもよい。
【図面の簡単な説明】
【００３３】
【図１】本発明の制震架構構造が採用された制震構造建物の概略正面図である。
【図２】制震構造建物の概略横断平面図である。
【図３】制震構造建物にける基準階床伏図である。
【図４】一方向床スラブの要部拡大平面図である。
【図５】一方向床スラブの仕上げコンクリート打設前の状態を示す要部拡大平面図である。
【図６】図４のＡ−Ａ線断面図である。
【図７】図４のＢ−Ｂ線断面図である。
【図８】図４のＣ−Ｃ線断面図である。
【図９】本発明の他の実施形態を示す要部の縦断側面図である。
【図１０】図９のＤ−Ｄ線断面図である。
【図１１】地震による制震梁及び床スラブの変形を説明する図である。
【符号の説明】
【００３４】
Ａ  下部構造物
Ｂ  ＲＣ造を主体とした剛接柱梁架構
Ｐ  制震梁の材軸方向
Ｑ  一方向床スラブのスパン方向（スラブ支持方向）
１，１ａ  柱
２  梁
２ａ  制震梁（短スパン梁）
３  プレストレストコンクリート梁
４ａ  大きな開口
４ｂ  小さな開口
５ａ  一方向床スラブ
５ｂ  床スラブ
６  構造スリット
７  ロックウール
８ａ，８ｂ  床支持材
９  立上り板部
１０  補強用アングル材
１１  鋼板
１２  仕上げコンクリート
１３  ひび割れ防止用の鉄筋
１４  仕上げコンクリート
１５  床仕上げ材
１６ａ，１６ｂ  段差部
【図１】
0005280711.tif 000002
【図２】
0005280711.tif 000003
【図３】
0005280711.tif 000004
【図４】
0005280711.tif 000005
【図５】
0005280711.tif 000006
【図６】
0005280711.tif 000007
【図７】
0005280711.tif 000008
【図８】
0005280711.tif 000009
【図９】
0005280711.tif 000010
【図１０】
0005280711.tif 000011
【図１１】
0005280711.tif 000012